(57)【要約】【課題】  帯電粒子を電気的に移動させて表示状態を切り換える表示装置であって、高コントラストで表示状態の切り換えが可能な表示装置を提供すること。【解決手段】  初期化電圧により交互に異なる方向の電界が発生し、帯電粒子６ａ，６ｂがＸ電極２ａ側とＹ電極３ａ側とへ交互に移動させられて攪拌され、基板２，３やスペーサ５から剥離されるので、帯電粒子６ａ，６ｂが記録電界ＲＶにより移動しやすくなり、移動可能な帯電粒子６ａ，６ｂの減少によりコントラストが低下するのを抑制することができる。また、初期化電圧は、振幅が減衰する複数のパルスＰＬからなるので、記録電圧ＲＶの印加前に印加された初期化電圧に含まれる最後のパルスＰＬにより形成される電界が原因となって、帯電粒子６ａ，６ｂが一対の基板２，３のいずれか一方に偏って残存することが抑制され、記録電圧ＲＶにより高コントラストで表示状態を切り換えることができる。【選択図】  図６
2005284171.tif 000002
【特許請求の範囲】
【請求項１】
一対の基板の各々に設けられた一対の電極と、それら一対の電極に所定の記録電圧を印加することにより、それら一対の電極間に電界を発生させ、それら一対の電極間において帯電粒子を電気的に移動させて表示状態を切り換える表示装置において、前記記録電圧を前記一対の電極に印加するに先だち、振幅が減衰する複数のパルスを含み交互に異なる方向の電界を発生させる初期化電圧を前記一対の電極に印加する電圧印加制御手段を備えることを特徴とする表示装置。
【請求項２】
前記初期化電圧の印加時間は、前記記録電圧の印加時間以上の長さであることを特徴とする請求項１記載の表示装置。
【請求項３】
前記初期化電圧の印加時間と前記記録電圧の印加時間との間に、前記一対の電極間を略無電界とする無電界時間が設けられていることを特徴とする請求項１又は２に記載の表示装置。
【請求項４】
前記一対の電極間を略無電界とする無電界時間は、前記記録電圧の印加時間以上の長さであることを特徴とする請求項３記載の表示装置。
【請求項５】
前記一対の電極間を略無電界とする無電界時間は、前記初期化電圧の印加時間以下の長さであることを特徴とする請求項３または４に記載の表示装置。
【請求項６】
前記初期化電圧の振幅の最大値は、前記記録電圧の絶対値以上であることを特徴とする請求項１から５のいずれかに記載の表示装置。
【請求項７】
前記初期化電圧は少なくとも５以上のパルスを含むことを特徴とする請求項１から６のいずれかに記載の表示装置。
【請求項８】
前記記録電圧の印加時間と前記初期化電圧のパルス時間とは、下記条件式（１）を満足するものであることを特徴とする請求項１から７のいずれかに記載の表示装置。
条件式
（１）Ｔ５／５≦Ｔ４≦Ｔ５
但し、Ｔ５は記録電圧の印加時間であり、Ｔ４は、初期化電圧のパルス時間である。
【発明の詳細な説明】
【技術分野】
【０００１】
本発明は、帯電粒子を電気的に移動させて表示状態を切り換える表示装置に係り、特に、高コントラストで表示状態の切り換えが可能な表示装置に関するものである。
【背景技術】
【０００２】
従来より、繰り返し書換え可能な表示媒体として、電気泳動表示媒体が提案されている。電気泳動表示媒体は、透明な表示基板と、これと微小間隙をもって対向する背面基板と、それら一対の基板の間を複数のセルに分割する間隙部材とを有し、そのセルの中に帯電性のある着色された電気泳動粒子群を封入する構成となっている。
【０００３】
この電気泳動表示媒体の基板間に、所定の記録電圧を印加し電界を形成すると、例えば黒色に着色された電気泳動粒子群が表示基板側に移動し、表示基板に黒色の画像を形成することが可能である。さらに、電界を消失させた後であっても、電気泳動粒子が基板や間隙部材に付着した状態が維持される、いわゆるメモリ効果により、表示した画像が維持される。
【０００４】
しかしながら、このような構成の電気泳動表示媒体では、画像表示を繰り返していくうちに、電気泳動粒子が間隙部材や基板に徐々に付着することにより、画像の書換えのために再び所定の記録電圧を印加しても移動しない電気泳動粒子が徐々に増加し、駆動可能な粒子の不足による表示コントラストの低下や、表示欠陥が生じるという問題があった。
【０００５】
このような問題を解決するために、特許文献１には、電気泳動表示媒体に対し、記録電圧を印加する前に、記録電圧と同一の電圧値であり、交互に極性の異なる複数のパルスからなる初期化電圧を印加する技術が提案されている。
【特許文献１】特開２０００−３２１６０５号公報
【発明の開示】
【発明が解決しようとする課題】
【０００６】
しかしながら、記録電圧を印加する前に、電気泳動粒子を攪拌したとしても、その初期化電圧に含まれる最後のパルスＰＬにより形成された電界の方向に移動させられた電気泳動粒子の一部が基板等に付着して残存し、依然として充分なコントラストで書き換えることができないという問題点があった。
【０００７】
本発明は上述した問題点を解決するためになされたものであり、帯電粒子を電気的に移動させて表示状態を切り換える表示装置であって、高コントラストで表示状態の切り換えが可能な表示装置を提供することを目的としている。
【課題を解決するための手段】
【０００８】
この目的を達成するために、請求項１記載の表示装置は、一対の基板の各々に設けられた一対の電極と、それら一対の電極に所定の記録電圧を印加することにより、それら一対の電極間に電界を発生させ、それら一対の電極間において帯電粒子を電気的に移動させて表示状態を切り換えるものであって、前記記録電圧を前記一対の電極に印加するに先だち、振幅が減衰する複数のパルスを含み交互に異なる方向の電界を発生させる初期化電圧を前記一対の電極に印加する電圧印加制御手段を備えることを特徴とする。
【０００９】
請求項１記載の表示装置によれば、一対の基板の各々に設けられた一対の電極に所定の記録電圧を印加することによりそれら一対の電極間に電界が発生し、それら一対の電極間において帯電粒子を電気的に移動させられて表示状態が切り換えられる。そして、記録電圧が一対の電極に印加されるに先だち、振幅が減衰する複数のパルスであって交互に異なる方向の電界を発生させる初期化電圧が一対の電極に印加される。
【００１０】
請求項２記載の表示装置は、請求項１記載の表示装置において、前記初期化電圧の印加時間は、前記記録電圧の印加時間以上の長さであることを特徴とする。
【００１１】
請求項３記載の表示装置は、請求項１又は２に記載の表示装置において、前記初期化電圧の印加時間と前記記録電圧の印加時間との間に、前記一対の電極間を略無電界とする無電界時間が設けられていることを特徴とする。
【００１２】
請求項４記載の表示装置は、請求項３記載の表示装置において、前記一対の電極間を略無電界とする無電界時間は、前記記録電圧の印加時間以上の長さであることを特徴とする。
【００１３】
請求項５記載の表示装置は、請求項３または４に記載の表示装置において、前記一対の電極間を略無電界とする無電界時間は、前記初期化電圧の印加時間以下の長さであることを特徴とする。
【００１４】
請求項６記載の表示装置は、請求項１から５のいずれかに記載の表示装置において、前記初期化電圧の振幅の最大値は、前記記録電圧の絶対値以上であることを特徴とする。
【００１５】
請求項７記載の表示装置は、請求項１から６のいずれかに記載の表示装置において、前記初期化電圧は少なくとも５以上のパルスを含むことを特徴とする。
【００１６】
請求項８記載の表示装置は、請求項１から７のいずれかに記載の表示装置において、前記記録電圧の印加時間と前記初期化電圧のパルス時間とは、下記条件式（１）を満足するものであることを特徴とする。
条件式
（１）Ｔ５／５≦Ｔ４≦Ｔ５
但し、Ｔ５は記録電圧の印加時間であり、Ｔ４は、初期化電圧のパルス時間である。
【発明の効果】
【００１７】
請求項１記載の表示装置によれば、表示状態を切り換えるための記録電圧が一対の電極に印加されるに先だち、振幅が減衰する複数のパルスを含み交互に異なる方向の電界を発生させる初期化電圧が一対の電極に印加されるので、記録電圧の印加前に印加された初期化電圧に含まれる最後のパルスにより形成される電界が原因となって、帯電粒子が一対の基板のいずれか一方に偏って残存することが抑制され、記録電圧により高コントラストで表示状態を切り換えることができるという効果がある。
【００１８】
請求項２記載の表示装置によれば、請求項１記載の表示装置の奏する効果に加え、初期化電圧の印加時間は、記録電圧の印加時間以上の長さであるので、記録電圧の印加では移動しない帯電粒子であっても、その記録電圧の印加前に初期化電圧の印加により攪拌されて移動可能とされ、記録電圧により高コントラストで表示状態を切り換えることができるという効果がある。
【００１９】
請求項３記載の表示装置によれば、請求項１または２に記載の表示装置の奏する効果に加え、初期化電圧の印加時間と記録電圧の印加時間との間に、一対の電極間を無電界とする無電界時間が設けられるので、帯電粒子が一対の基板のいずれか一方に偏って残存することが確実に抑制されるという効果がある。
【００２０】
請求項４記載の表示装置によれば、請求項３記載の表示装置の奏する効果に加え、一対の電極間を無電界とする無電界時間は、記録電圧の印加時間以上の長さであるので、帯電粒子が一対の基板のいずれか一方に偏って残存することがより確実に抑制されるという効果がある。
【００２１】
請求項５記載の表示装置によれば、請求項３または４に記載の表示装置の奏する効果に加え、一対の電極間を無電界とする無電界時間は、初期化電圧の印加時間以下の長さであるので、記録電圧による表示状態の切り換えの応答性が低下することを抑制できるという効果がある。
【００２２】
請求項６記載の表示装置によれば、請求項１から５のいずれかに記載の表示装置の奏する効果に加え、初期化電圧に含まれる複数のパルスの振幅の絶対値の最大値は、記録電圧の絶対値以上であるので、記録電圧の印加では移動しない帯電粒子であっても、その記録電圧の印加前に初期化電圧の印加により移動可能とされ、記録電圧により高コントラストで表示状態を切り換えることができるという効果がある。
【００２３】
請求項７記載の表示装置によれば、請求項１から６のいずれかに記載の表示装置の奏する効果に加え、初期化電圧は少なくとも５以上のパルスを含むので、帯電粒子が充分に攪拌されて移動可能とされ、記録電圧により高コントラストで表示状態を切り換えることができるという効果がある。
【００２４】
請求項８記載の表示装置によれば、請求項１から７のいずれかに記載の表示装置の奏する効果に加え、記録電圧の印加時間と初期化電圧に含まれるパルスのパルス時間とが条件式（１）を満足するので、帯電粒子が十分に攪拌され移動可能とされるとともに、記録電圧による表示状態の切り換えの応答性低下が抑制されるという効果がある。すなわち、初期化電圧に含まれるパルスのパルス時間Ｔ４がＴ５／５（但し、Ｔ５は記録電圧の印加時間）よりも小さい場合は、帯電粒子を充分に攪拌することができず、また、初期化電圧に含まれるパルスのパルス時間Ｔ４がＴ５よりも大きい場合は、記録電圧による表示状態の切り換えの応答性が低下してしまうのである。
【発明を実施するための最良の形態】
【００２５】
以下、本発明の好ましい実施例について、添付図面を参照して説明する。図１は、本実施例の表示装置１を示す斜視図である。図１に示すように、表示装置１は、電気泳動表示パネル１０、操作ボタン１ａを備えており、利用者の操作ボタン１ａの操作に基づいて、所望の画像を電気泳動表示パネル１０に表示することができる。
【００２６】
次に、図２を参照して、上述した電気泳動表示パネル１０の各構成について詳細に説明する。図２は電気泳動表示パネル１０の分解斜視図である。
【００２７】
第１基板２は、Ｘ電極２ａが形成された基板であり、樹脂製、ガラス製、天然樹脂製、紙製等の板状に構成されている。
【００２８】
第１基板２のスペーサー５と対向する面に形成されるＸ電極２ａは、分散液６に電界を与えるための一方の極性を担う電極であり、複数本のライン状に形成されている。
【００２９】
このＸ電極２ａは、導電性を有するものであれば、特にその材料には限定されず、金属、半導体、導電性樹脂、導電性塗料等の材料で構成されている。また、このＸ電極２ａは、周知の無電解メッキ法、スパッタ法、蒸着法等の方法によって第１基板２上に形成できる。
【００３０】
第２基板３はＹ電極３ａが形成された基板であり、第１基板２と同様な材料で構成されている。
【００３１】
第２基板３のスペーサ５と対向する面に形成されるＹ電極３ａは、分散液６に電界を与えるための他方の極性を担う電極であり、Ｘ電極２ａと直交する方向に複数本のライン状に形成されている。尚、Ｙ電極３ａについても、Ｘ電極２ａと同様な材料、方法で第２基板３上に形成することができる。
【００３２】
スペーサ５は、黒色帯電粒子６ａと白色帯電粒子６ｂとが分散された分散液６（図３参照）を充満する多数の貫通孔５ａを形成する部材である。スペーサ５は、樹脂製、ガラス製等で板状に構成され、矩形状の貫通孔５ａが格子状に穿設されている。スペーサ５は、これらの矩形状の貫通孔５ａが、Ｘ電極２ａとＹ電極３ａとの各交差部にそれぞれ位置するように、第１基板２と第２基板３とによって挟持される。
【００３３】
したがって、第１基板２と第２基板３との間には、Ｘ電極２ａとＹ電極３ａとの各交差部に対応して、スペーサ５により仕切られるとともに分散液６を充満するセルが配設されることとなり、１つのセルが１つの画素を構成する。
【００３４】
枠体７は、スペーサ５の周縁を囲む部材である。枠体７は、樹脂製、ガラス製等であって、その中央部にスペーサ５を含む大きさの開口部７ａが開口されている。枠体７の厚さは、スペーサ５の厚さと略同様に構成されている。
【００３５】
図３は、セルの断面を拡大して示す概略断面図である。図３に示すように、各セルは、一対の電極２ａ，３ａ間において、負帯電した黒色帯電粒子６ａおよび正帯電した白色帯電粒子６ｂを分散させた分散液６を封入する。
【００３６】
本実施例の表示装置１によれば、第１基板２に設けられたＸ電極２ａと第２基板３に設けられたＹ電極３ａとの間に電圧を印加して、Ｘ電極２ａとＹ電極３ａとの間に電界を発生させ、その電界により、各セルごとに黒色帯電粒子６ａ又は白色帯電粒子６ｂを表示面を形成する第２基板３側に泳動させることで、各画素の表示状態を電気的に切り換えることができる。
【００３７】
より具体的には、Ｙ電極２ａがＸ電極３ａに対して正となるように電界が形成されたセルでは、負帯電した黒色帯電粒子６ａが表示面を形成する第２基板３側に移動し、正帯電した白色帯電粒子６ｂがＸ電極２ａ側に移動するので、そのセルにより構成される画素は表示状態となる。
【００３８】
一方、Ｙ電極３ａがＸ電極２ａに対して負となるように電界が形成されたセルでは、正帯電した白色帯電粒子６ｂが表示面を形成する第２基板３側に移動し、負帯電した黒色帯電粒子６ａが第１基板２側に移動するので、そのセルにより構成される画素は非表示状態となる。
【００３９】
分散液６としては、パラフィン系炭化水素（ノルマルパラフィン、イソパラフィン）、ハロゲン化炭化水素、シリコンオイル等が使用できる。黒色帯電粒子６ａや白色帯電粒子６ｂとしては、黒色のカーボンブラックや白色の酸化チタン等、或いは、着色したものとしては、フタロシアニン系顔料等の有機顔料をポリマ樹脂で被覆したもの、アゾ染料、キノリン系染料等の公知の染料で着色された微細なポリマビーズ等が使用できる。
【００４０】
尚、各帯電粒子６ａ，６ｂの帯電特性を安定させるために、荷電制御剤を用いてもよい。荷電制御剤には、静電記録用の現像剤（トナー）に利用されている公知の材料が好適である。
【００４１】
各帯電粒子６ａ，６ｂのサイズは通常平均粒径０．１μｍ〜１０μｍ程度の粒子が使用される。またＸ電極２ａとＹ電極３ａとの間の距離は１００μｍ程度とされる。
【００４２】
図４は、表示装置１の電気的構成を示したブロック図である。図４に示すように、表示装置１は、画像を表示する電気泳動表示パネル１０、装置全体の動作を制御するＣＰＵ１１、ＲＡＭ１２、ハードディスク或いは不揮発性メモリーから構成される記録装置１３、画像インターフェイス１４、Ｙパルス電圧制御回路１５、Ｙ駆動電源１６、Ｘパルス電圧制御回路１８、Ｘ駆動電源１９とを備えている。
【００４３】
ＣＰＵ１１は、ＲＡＭ１２または記録装置１３に保存されている画像データに基づいて画像インターフェイス１４に画素データを送り、画像インターフェイス１４はＣＰＵ１１から出力された画素データに色変換などの各種処理を行ない、Ｙパルス電圧制御回路１５及びＸパルス電圧制御回路１８に信号を出力する。
【００４４】
Ｙパルス電圧制御回路１５は、Ｙ駆動電源１６から供給される電圧を、画像インターフェイス１４から出力される信号に従いＹ電極３ａに出力する。また、Ｘパルス電圧制御回路１８は、Ｘ駆動電源１９から供給される電圧を、画像インターフェイス１４から出力される信号に従いＹ電極３ａに出力する。
【００４５】
上記Ｙパルス電圧制御回路１５とＸパルス電圧制御回路１８とにより、Ｘ電極２ａとＹ電極３ａとに電圧が印加され、電気泳動表示パネル１０において、Ｘ電極２ａとＹ電極３ａとの間に電界が形成される。
【００４６】
次に、図５を参照して、Ｙパルス電圧制御回路１５とＸパルス電圧制御回路１８とにより、Ｘ電極２ａとＹ電極３ａとに印加される電圧について説明する。図５は、１つの画素を構成する１つのセルにおいてＸ電極２ａとＹ電極３ａとに印加される電圧を示すタイミングチャートである。
【００４７】
図５に示すように、画素の表示状態を切り換える場合は、まず、交互に異なる方向の電界を発生させる複数のパルスＰＬからなる初期化電圧をＸ電極２ａとＹ電極３ａとに印加する。次に、Ｘ電極２ａとＹ電極３ａとの間の電圧を略０Ｖの無電界状態とする。その後、表示状態を切り換えるための電圧であって、Ｘ電極２ａとＹ電極３ａとの電圧差をＶ２とする記録電圧ＲＶが印加される。
【００４８】
１画素を構成するセルについて、図５に示すタイムチャートに従って電圧が印加されると、初期化電圧により交互に異なる方向の電界が発生し、黒色帯電粒子６ａと白色帯電粒子６ｂとがＸ電極２ａ側とＹ電極３ａ側とへ交互に移動させられて攪拌され、基板２，３やスペーサ５から剥離されるので、帯電粒子６ａ，６ｂが記録電界ＲＶにより移動しやすくなり、移動可能な帯電粒子６ａ，６ｂの減少によりコントラストが低下するのを抑制することができる。
【００４９】
また、初期化電圧は、振幅が減衰する複数のパルスＰＬからなるので、初期化電圧に含まれる最後のパルスＰＬにより形成される電界が原因となって、帯電粒子６ａ，６ｂが一対の基板２，３のいずれか一方に偏って残存することが抑制され、記録電圧ＲＶにより高コントラストで表示状態を切り換えることができる。
【００５０】
また、図５に、初期化電圧の印加時間Ｔ１と、記録電圧の印加時間Ｔ５とを示す。ここで初期化電圧の印加時間Ｔ１とは、初期化電圧の最初のパルスの印加を開始する時点から無電界時間Ｔ３の開始までの時間であって、Ｘ電極２ａとＹ電極３ａとに複数のパルスＰＬが印加される時間をいい、記録電圧の印加時間Ｔ５とは、１つのセルの表示状態を切り換えるための１つのパルス（記録電圧ＲＶ）が印加される時間をいう。
【００５１】
初期化電圧の印加時間Ｔ１を、記録電圧の印加時間Ｔ５以上の長さとすることで、記録電圧ＲＶの印加では移動しない帯電粒子６ａ，６ｂであっても、その記録電圧ＲＶの印加前に印加される初期化電圧により移動可能とされ、記録電圧ＲＶにより高コントラストで表示状態を切り換えることができる。
【００５２】
また、図５に示すように、初期化電圧の印加時間Ｔ１と記録電圧の印加時間Ｔ５との間に、一対の電極２ａ，３ａ間を無電界とする無電界時間Ｔ３が設けられる。したがって、帯電粒子６ａ，６ｂが無電界時間Ｔ３の間、電気的な力がかからない状態とされるので、帯電粒子６ａ，６ｂが一対の基板２，３のいずれか一方に偏って残存することが確実に抑制される。
【００５３】
また、図５に示すように、一対の電極２ａ，３ａ間を無電界とする無電界時間Ｔ３は、記録電圧の印加時間Ｔ５以上の長さである。したがって、帯電粒子６ａ，６ｂが一対の基板２，３のいずれか一方に偏って残存することがより確実に抑制される。
【００５４】
また、図５に示すように、一対の電極２ａ，３ａ間を無電界とする無電界時間Ｔ３は、初期化電圧の印加時間Ｔ１以下の長さである。したがって、表示状態を切り換えるために要する時間が必要以上に長くならないので、記録電圧ＲＶによる表示状態の切り換えの応答性が低下することを抑制できる。
【００５５】
また、図５に示すように、初期化電圧のパルスＰＬは徐々に振幅が減少するため、最初に印加されるパルスＰＬが最大振幅Ｖ１を有する。このパルスＰＬの振幅Ｖ１（初期化電圧印加時間Ｔ１におけるＸ電極２ａに対するＹ電極３ａの電圧の絶対値の最大値）は、記録電圧ＲＶの絶対値Ｖ２以上である。したがって、記録電圧ＲＶの印加では移動しない帯電粒子６ａ，６ｂであっても、その記録電圧ＲＶの印加前に初期化電圧の印加により移動可能とされ、記録電圧ＲＶにより高コントラストで表示状態を切り換えることができる。
【００５６】
また、図５に示すように、初期化電圧は少なくとも５以上、例えば７つのパルスＰＬからなる。したがって、帯電粒子６ａ，６ｂは充分な回数分、Ｘ電極２ａとＹ電極３ａとの間を攪拌されて移動可能とされるので、記録電圧にＲＶにより高コントラストで表示状態を切り換えることができる。
【００５７】
また、図５に示す記録電圧の印加時間Ｔ５と初期化電圧のパルス時間Ｔ４とは、下記数式１を満足するものである。ここでパルス時間とは、初期化電界を構成する複数のパルスＰＬのうち１つのパルスＰＬの印加時間のことである。
（数式１）
Ｔ５／５≦Ｔ４≦Ｔ５
但し、Ｔ５は記録電圧の印加時間であり、Ｔ４は、初期化電圧のパルス時間である。
【００５８】
したがって、帯電粒子６ａ，６ｂが十分に攪拌され移動可能とされるとともに、記録電圧ＲＶによる表示状態の切り換えの応答性低下が抑制される。すなわち、初期化電圧を構成するパルスＰＬのパルス時間Ｔ４がＴ５／５（但し、Ｔ５は記録電圧の印加時間）よりも小さい場合は、帯電粒子６ａ，６ｂを充分に攪拌することができず、また、初期化電圧を構成するパルスのパルス時間Ｔ４がＴ５よりも大きい場合は、表示状態の切り換えの応答性が低下してしまうのである。
【００５９】
図６は、複数本のＸ電極２ａとＹ電極３ａとにそれぞれ印加される初期化電圧と記録電圧とを示すタイミングチャートである。
【００６０】
本実施例の液晶表示パネル１０は、Ｙ電極３ａの電位がＸ電極２ａの電位に対し、＋５０Ｖとなるように電圧が印加された画素は、黒色帯電粒子６ａがＹ電極３ａ側に移動して黒表示となり、Ｙ電極３ａの電位がＸ電極２ａの電位に対し、−２５Ｖとなるように電圧が印加された画素は、白色帯電粒子６ｂがＹ電極３ａ側に移動して白表示となるよう構成されている。
【００６１】
図６に示すように、Ｙ電極３ａに対し、極性が交互に異なる交番電圧を印加することにより、Ｙ電極３ａとＸ電極２ａとの間に、記録電圧の印加に先立って帯電粒子６ａ，６ｂを移動可能にするための初期化電圧が印加される。初期化電圧は、７つのパルスからなり、そのパルスの最大振幅は記録電圧の絶対値と等しい５０Ｖであって徐々に減衰する。
【００６２】
続いて、Ｘ電極２ａ及びＹ電極３ａが共に０Ｖとされる。すなわち、一対の電極２ａ，３ａ間が無電界状態となる。
【００６３】
続いて、初期化電圧印加時間Ｔ１の終了時点から無電界時間Ｔ３が経過後、順次Ｘ電極２ａを選択し、Ｙ電極３ａにより記録電圧を印加する。Ｘ電極は選択されている期間のみ、−２５Ｖが印加される。
【００６４】
これに対し、Ｙ電極３ａは、画素を表示状態とする場合には＋２５Ｖとされ、画素を非表示状態とする場合には０Ｖとされる。すなわち、選択されたＸ電極２ａに対し、Ｙ電極３ａが５０Ｖとされた画素は表示状態となり、選択されたＸ電極２ａに対し、Ｙ電極３ａが−２５Ｖとされた画素は非表示状態となる。
【００６５】
次に、初期化電圧として必要なパルス回数とパルスの振幅について説明する。図７は、一対の電極２ａ，３ａに印加される初期化電圧のパルス回数及びパルスの最大振幅Ｖ１と、表示状態の切り換え時のコントラストとの関係を説明する図である。また、図７において、「○」は表示状態切り換え後の表示のコントラストが「８」以上であることを示し、「△」はコントラストが「３〜８」であることを示し、「×」はコントラストが「３」以下であることを示す。
【００６６】
図７に示すように、初期化電圧として少なくとも５以上のパルスを一対の電極２ａ，３ａに印加することにより、表示状態切り換え後の表示のコントラストを良好な状態とすることができるが、パルス回数が４以下である場合は、十分なコントラストを得ることができない。
【００６７】
また、「Ｖ１／Ｖ２≧１．０」すなわち「Ｖ１≧Ｖ２」となるように初期化電圧の電圧値を設定することで、記録電圧ＲＶの印加では移動しない帯電粒子６ａ，６ｂであっても、記録電圧ＲＶの印加前に初期化電圧の印加により移動可能とされ、記録電圧ＲＶにより高コントラストで表示状態を切り換えることができるようになる。「Ｖ１＜Ｖ２」の場合には、記録電圧ＲＶの電圧の絶対値Ｖ２よりも小さい振幅のパルスＰＬしか与えられないので、記録電圧ＲＶの印加により移動しない帯電粒子６ａ、６ｂを充分に移動可能とすることはできない。
【００６８】
以上、実施例に基づき本発明を説明したが、本発明は上述した実施例に何ら限定されるものではなく、本発明の趣旨を逸脱しない範囲内で種々の改良変更が可能であることは容易に推察できるものである。
【００６９】
例えば、本実施例では、Ｙ電極３ａの電位のみを変動させて初期化電圧を印加する場合を説明したが、Ｘ電極２ａとＹ電極３ａとの電位を共に変動させることにより初期化電圧を印加するものであってもよい。
【００７０】
図８は、Ｘ電極２ａ及びＹ電極３ａに交互に極性の異なる電圧を印加して初期化電圧を印加する場合のタイムチャートを示す図であって、図６に相当する図である。
【００７１】
図８に示すように、Ｘ電極２ａに負の電圧を有する複数のパルスを印加し、Ｙ電極３ａには、Ｘ電極３ａに印加されるパルスと交互となるタイミングで正の電圧を有するパルスを印加することにより、一対の電極２ａ，３ａ間に交互に異なる方向の電界を発生させても良い。
【００７２】
また、本実施例の表示装置１は、Ｘ電極２ａとそのＸ電極２ａと直交するＹ電極３ａが表示セルを挟んで対向し、Ｘ電極２ａとＹ電極３ａとの間に表示状態を切り替えるための電界を形成する単純マトリックス方式の電気泳動パネル１０を有するものであったが、一方の基板の全面に設けられた共通電極と、その共通電極に対向するＸ電極及びＹ電極とを有し、そのＸ電極とＹ電極との交点に薄膜トランジスタ（ＴＦＴ）が接続されて構成される、いわゆるアクティブマトリックス方式の電気泳動パネルを有するものであっても良い。
【００７３】
また、本実施例では、帯電粒子６ａ，６ｂを封入するセルが各画素を構成していたが、セルに代えて、帯電粒子６ａ，６ｂを封入するマイクロカプセルであっても良い。
【図面の簡単な説明】
【００７４】
【図１】本実施例の表示装置を示す斜視図である。
【図２】電気泳動表示パネルの分解斜視図である。
【図３】セルの断面を拡大して示す概略断面図である。
【図４】表示装置の電気的構成を示したブロック図である。
【図５】１つの画素を構成する１つのセルにおいてＸ電極とＹ電極とに印加される電圧を示すタイミングチャートである。
【図６】複数本のＸ電極とＹ電極とにそれぞれ印加される初期化電圧と記録電圧とを示すタイミングチャートである。
【図７】一対の電極に印加される初期化電圧のパルス数及び最大電圧値と、画像書き換え後のコントラストの程度との関係を説明する図である。
【図８】Ｘ電極及びＹ電極に交互に極性の異なる電圧を印加して初期化電圧を印加する場合のタイムチャートを示す図であって、図６に相当する図である。
【符号の説明】
【００７５】
１                  表示装置
２                  Ｘ電極
３                  Ｙ電極
１５                Ｙパルス電圧制御回路（電圧印加制御手段）
１８                Ｘパルス電圧制御回路（電圧印加制御手段）
ＰＬ                パルス
ＲＶ                記録電圧
Ｔ１                初期化電圧印加時間
Ｔ３                無電界時間
Ｔ４                パルス時間
Ｔ５                記録電圧印加時間
【図１】
2005284171.tif 000003
【図２】
2005284171.tif 000004
【図３】
2005284171.tif 000005
【図４】
2005284171.tif 000006
【図５】
2005284171.tif 000007
【図６】
2005284171.tif 000008
【図７】
2005284171.tif 000009
【図８】
2005284171.tif 000010